(57)【要約】【課題】ユーザによる操作パネルの操作性を阻害することなく、特定のユーザにメンテナンス情報を知らせることができる技術を提供する。【解決手段】情報通知システム１０は、画像形成処理を行う管理デバイス１４との間でネットワークを介した通信を相互に行う管理サーバ１６を備える。この情報通知システム１０では、管理サーバ１６にて管理デバイス１４のメンテナンス情報を記憶しており、管理サーバ１６から管理デバイス１４に対してメンテナンス情報を通知する。これに対して、管理デバイス１４では、操作パネル３２にて、この表示領域３２ａ内で画像形成処理に関する操作が行われる液晶操作画面３２ｂの外側に配置された非操作領域３２ｃに、管理サーバ１６からメンテナンス情報が通知されたことを示す通知情報４２を表示する。【選択図】図５
2014036330.tif 000002
【特許請求の範囲】
【請求項１】
画像形成処理を行う画像形成装置との間でネットワークを介した通信を相互に行う管理サーバと、
前記管理サーバにて前記画像形成装置のメンテナンス情報を記憶する記憶手段と、
前記管理サーバから前記画像形成装置に対して前記メンテナンス情報を通知する通知手段と、
前記画像形成装置に設けられた操作パネルにて、この表示領域内で前記画像形成処理に関する操作が行われる操作領域の外側に配置された非操作領域に、前記管理サーバから前記メンテナンス情報が通知されたことを示す通知情報を表示する表示手段と
を備えたことを特徴とする情報通知システム。
【請求項２】
請求項１に記載の情報通知システムにおいて、
前記表示手段は、
前記通知情報として、これを示すアイコンを前記非操作領域に表示することを特徴とする情報通知システム。
【請求項３】
請求項１又は２に記載の情報通知システムにおいて、
前記画像形成装置にて、前記メンテナンス情報を開示する対象となるユーザを認証する認証手段と、
前記ユーザの認証が成功した場合、前記通知情報に対応する前記メンテナンス情報の内容を前記操作パネルに表示する内容表示手段と
をさらに備えたことを特徴とする情報通知システム。
【請求項４】
請求項３に記載の情報通知システムにおいて、
前記操作パネルに表示された前記メンテナンス情報に応答して前記画像形成装置から送信された応答メッセージを前記管理サーバにて受信する受信手段をさらに備えたことを特徴とする情報通知システム。
【請求項５】
管理サーバを用いて、画像形成処理を行う画像形成装置にネットワークを介して情報を通知する情報通知方法において、
前記管理サーバにて前記画像形成装置のメンテナンス情報を記憶する記憶工程と、
前記管理サーバから前記管理対象デバイスに対して前記メンテナンス情報を通知する通知工程と、
前記画像形成装置に設けられた操作パネルにて、この表示領域内で前記画像形成処理に関する操作が行われる操作領域の外側に配置された非操作領域に、前記管理サーバから前記メンテナンス情報が通知されたことを示す通知情報を表示する表示工程と
を有することを特徴とする情報通知方法。
【請求項６】
請求項５に記載の情報通知方法において、
前記操作パネルに表示された前記通知情報に対する操作に応じて、前記メンテナンス情報を開示する対象となるユーザを認証するための認証画面を前記操作パネルに表示する認証表示工程と、
前記認証画面に入力された情報に基づいて、前記ユーザの認証を行う認証工程と、
前記ユーザの認証が成功した場合、前記通知情報に対応する前記メンテナンス情報の内容を前記操作パネルに表示する内容表示工程と
をさらに有することを特徴とする情報通知方法。
【請求項７】
画像形成処理を行う画像形成装置と、前記画像形成装置のメンテナンス情報を記憶するとともに、記憶したメンテナンス情報をネットワークを介して前記画像形成装置に通知する管理サーバとを備える情報通知システムのコンピュータに実行させる情報通知システム用プログラムであって、
前記画像形成装置のコンピュータに、
前記管理サーバから送信された前記メンテナンス情報を受信する手順と、
前記画像形成装置に設けられた操作パネルの表示領域内で、前記画像形成処理に関する操作が行われる操作領域の外側に配置された非操作領域に、前記管理サーバから前記メンテナンス情報が通知されたことを示す通知情報を表示する手順と
を実行させるための情報通知システム用プログラム。
【請求項８】
請求項７に記載の情報通知システム用プログラムにおいて、
前記画像形成装置のコンピュータに、
前記操作パネルに表示された前記通知情報に対する操作を受け付ける手順と、
受け付けた操作に応じて、前記メンテナンス情報を開示する対象となるユーザを認証するための認証画面を前記操作パネルに表示する手順と、
前記認証画面に入力された情報に基づいて、前記ユーザの認証を行う手順と、
前記ユーザの認証が成功した場合、前記通知情報に対応する前記メンテナンス情報の内容を前記操作パネルに表示する手順と
をさらに実行させるための情報通知システム用プログラム。
【発明の詳細な説明】
【技術分野】
【０００１】
本発明は、管理サーバで管理するネットワークに接続された画像形成装置に対して情報を通知する情報通知システム、情報通知方法、及び情報通知システム用プログラムに関する。
【背景技術】
【０００２】
従来、管理装置からネットワークに接続された画像処理装置に対してメンテナンス情報を通知する管理システムが知られている（例えば、特許文献１参照。）。
この先行技術では、画像処理装置のメンテナンスに関して、その予定日時を事前に管理装置から画像処理装置へ通知している。通知されたメンテナンス情報は、画像処理装置の操作パネルに表示される。画像処理装置の管理者は、操作パネルに表示されたメンテナンスの予定日時を確認したうえで、これに対する応答メッセージを画像処理装置から管理装置へ通知することで、ユーザ側の都合をサービス提供者側に知らせることができる。
また上記のメンテナンス情報及びユーザ側の都合は、管理装置を介してメンテンスを行うサービスマンの携帯端末に送信されている。
【０００３】
上記の先行技術によれば、メンテナンス予定日時を事前に画像処理装置へ通知しているため、サービス提供者は、画像処理装置を利用するユーザの都合に合わせて画像処理装置のメンテナンスを行うことができる。
【先行技術文献】
【特許文献】
【０００４】
【特許文献１】特開平７−１５２５２１号公報
【発明の概要】
【発明が解決しようとする課題】
【０００５】
しかしながら、上述した先行技術では、管理装置から通知されたメンテナンス情報を操作パネルに表示しているものの、表示された情報を画像処理装置の管理者に対して確実に知らせることを保証し得るものではない。
すなわち、メンテナンス情報が通知されたときにユーザが操作を行っていなくても、操作パネルの表示画面には、管理装置から通知されたメンテナンス予定日時、その他メンテナンスに関する内容が表示画面の全体に表示されてしまう。この場合、画像処理装置を利用するユーザであれば誰でもこのメンテナンス情報を視認することができてしまう。
【０００６】
また、メンテナンス情報が操作パネル上の操作画面を覆い隠してしまうため、コピーやファクシミリ等を利用するユーザの操作性が失われてしまう。ユーザが操作性を確保するために操作パネルの操作時に、メンテナンス情報を削除してしまうおそれがある。メンテナンス情報が削除されてしまうと、通知の対象となるユーザや管理者にメンテナンス情報が適切に通知されないという問題がある。
【０００７】
そこで本発明は、ユーザによる操作パネルの操作性を阻害することなく、特定のユーザにメンテナンス情報を知らせることができる技術の提供を課題とする。
【課題を解決するための手段】
【０００８】
〔情報通知システム〕
上記の課題を解決するため、本発明は情報通知システムを提供する。
本発明の情報通知システムは、画像形成処理を行う画像形成装置との間でネットワークを介した通信を相互に行う管理サーバと、管理サーバにて画像形成装置のメンテナンス情報を記憶する記憶手段と、管理サーバから画像形成装置に対してメンテナンス情報を通知する通知手段と、画像形成装置に設けられた操作パネルにて、この表示領域内で画像形成処理に関する操作が行われる操作領域の外側に配置された非操作領域に、管理サーバからメンテナンス情報が通知されたことを示す通知情報を表示する表示手段とを備える。
【０００９】
本発明の情報通知システムによれば、通知情報が操作領域の外側に配置されているため、通知情報が操作領域を覆い隠すことがない。このため、例えばコピーやファクシミリ等の画像形成処理に関する操作を行う際の操作性を確保しつつも、メンテナンス情報が管理サーバから通知されたことをユーザに知らせることができる。
【００１０】
また、操作パネルには、メンテナンス情報の具体的な内容ではなく「管理サーバから通知があった」ということを知らせるための通知情報が表示されている。したがって、不特定多数のユーザにメンテナンス情報の内容を視認されることがない。
【００１１】
また表示手段では、通知情報として、これを示すアイコンを非操作領域に表示してもよい。
これにより、操作パネルの表示領域において、メンテナンス情報が通知されていることをユーザに対して視覚的にわかりやすく伝えることができる。
【００１２】
本発明の情報通知システムは、画像形成装置にて、メンテナンス情報を開示する対象となるユーザを認証する認証手段と、ユーザの認証が成功した場合、通知情報に対応するメンテナンス情報の内容を操作パネルに表示する内容表示手段とを備える。
【００１３】
本発明の情報通知システムによれば、ユーザ認証を行った上で、通知情報に対応するメンテナンス情報の内容を操作パネルに表示している。このユーザ認証を行う処理では、例えば、まずユーザ認証画面を操作パネルに表示する。これに対してユーザ認証画面に入力されたユーザＩＤやパスワード等の情報に基づいてユーザ認証が行われる。この認証は、情報が入力された画像形成装置で行う。あるいは、この画像形成装置を利用するユーザ側のネットワークに接続された認証端末を用いて行ってもよい。そして、認証に成功した場合、通知情報に対応するメンテナンス情報の内容を操作パネルに表示する。
このように、本発明の情報システムでは、特定のユーザのみにメンテナンス情報を開示することができる。
【００１４】
また本発明の情報通知システムは、操作パネルに表示されたメンテナンス情報に応答して画像形成装置から送信された応答メッセージを管理サーバにて受信する受信手段を備える。
【００１５】
本発明の情報通知システムによれば、メンテナンス情報を確認したユーザは、応答メッセージとして、例えばメンテナンス作業が可能な日時を管理サーバに返信することができる。管理サーバは、受信した応答メッセージをサービス提供者側の管理端末や、メンテナンス担当者用の端末に対して通知することができる。このため、サービス提供者は、ユーザの都合に合わせてメンテナンスサービスを提供することができる。
【００１６】
〔情報通知方法〕
本発明は、情報通知方法を提供する。この情報通知方法は、管理サーバを用いて、画像形成処理を行う画像形成装置にネットワークを介して情報を通知する方法であって、以下の工程を含むものである。
【００１７】
〔記憶工程〕
この工程では、管理サーバにて画像形成装置のメンテナンス情報を記憶する。
〔通知工程〕
この工程では、管理サーバから管理対象デバイスに対してメンテナンス情報を通知する。
〔表示工程〕
この工程では、画像形成装置に設けられた操作パネルにて、この表示領域内で画像形成処理に関する操作が行われる操作領域の外側に配置された非操作領域に、管理サーバからメンテナンス情報が通知されたことを示す通知情報を表示する。
【００１８】
管理サーバに記憶されるメンテナンス情報には、例えば、画像形成装置を利用するユーザ宛てのものと、この画像形成装置を管理するユーザ側の管理者宛てのものが含まれる。
ユーザ宛てのメンテナンス情報としては、例えば、画像形成装置の操作方法など、問い合わせの多い項目をＦＡＱ形式で示したものが挙げられる。
また、管理者宛てのメンテナンス情報としては、画像形成装置に対する定期メンテナンスに関する情報や、画像形成装置に設置されたトナー残量に関する情報、画像形成装置内の故障情報、あるいはシステムエラーの発生情報等が挙げられる。
【００１９】
本発明の情報通知方法によれば、通知情報が操作領域の外側に配置されているため、操作領域がこの通知情報に覆い隠された状態で操作パネルに表示されることはない。
したがって、コピーやファクシミリ等の画像形成処理に関する操作を行う際の操作性を確保しつつも、メンテナンス情報が管理サーバから通知されたことをユーザに知らせることができる。
【００２０】
また操作パネルには、メンテナンス情報の具体的な内容ではなく「管理サーバから通知があった」ということを知らせるための通知情報が表示されている。したがって、不特定多数のユーザにメンテナンス情報を視認されることがない。
【００２１】
また、本発明の情報通知方法は、以下の工程を含む。
〔認証表示工程〕
この工程では、操作パネルに表示された通知情報に対する操作に応じて、メンテナンス情報を開示する対象となるユーザを認証するための認証画面を操作パネルに表示する。
〔認証工程〕
この工程では、認証画面に入力された情報に基づいて、ユーザの認証を行う。
〔内容表示工程〕
この工程では、認証画面に入力された情報に基づいて、ユーザの認証を行う認証工程と、ユーザの認証が成功した場合、通知情報に対応するメンテナンス情報の内容を操作パネルに表示する。
【００２２】
本発明の情報通知方法によれば、メンテナンス情報の内容を表示する前に、これを表示する対象となるユーザの認証を行っているため、特定のユーザのみにメンテナンス情報を開示することができる。
すなわち、管理者としての認証が成功することによって、管理者宛てのメンテナンス情報が操作パネルに表示されることになる。一方、管理者としての権限を有していない一般ユーザとしての認証に成功したとしても、管理者宛てのメンテナンス情報が操作パネルに表示されることはない。
このように、本発明の情報通知方法では、必要な情報を必要なユーザのみに対して提供することができる。
【００２３】
〔情報通知システム用プログラム〕
本発明は、情報通知システム用プログラムを提供する。このプログラムは、画像形成処理を行う画像形成装置と、画像形成装置のメンテナンス情報を記憶するとともに、記憶したメンテナンス情報をネットワークを介して画像形成装置に通知する管理サーバとを備える情報通知システムのコンピュータに実行させるものである。具体的には、画像形成装置のコンピュータに以下の手順を実行させるものである。
【００２４】
（１）管理サーバから送信されたメンテナンス情報を受信する手順。
（２）画像形成装置に設けられた操作パネルにて、この表示領域内で画像形成処理に関する操作が行われる操作領域の外側に配置された非操作領域に、管理サーバからメンテナンス情報が通知されたことを示す通知情報を表示する手順。
【００２５】
本発明の情報通知システム用プログラムは、上記（１）、（２）の手順を画像形成装置のコンピュータに実行させることで、通知情報が、例えばコピーやファクシミリ等の画像形成処理に関する操作を行うためのボタン画像やテンキー画像（操作領域）を覆い隠した状態で、操作パネルに表示されることがない。このため、操作パネルを使用するユーザの操作性を失うことがなく、ユーザが誤って通知情報に触れてしまうことを防止することができる。
【００２６】
また、操作パネルには、メンテナンス情報の具体的な内容ではなく「管理サーバから通知があった」ということを知らせるための通知情報が表示されている。したがって、不特定多数のユーザにメンテナンス情報を視認されることがない。
【００２７】
また、メンテナンス情報を操作パネルに表示するために、本発明の画像形成システム用プログラムは、画像形成装置のコンピュータに以下の手順を実行させるものでもよい。
【００２８】
（１）操作パネルに表示された通知情報に対する操作を受け付ける手順。
（２）受け付けた操作に応じて、メンテナンス情報を開示する対象となるユーザを認証するための認証画面を操作パネルに表示する手順。
（３）認証画面に入力された情報に基づいて、ユーザの認証を行う手順。
（４）ユーザの認証が成功した場合、通知情報に対応するメンテナンス情報の内容を操作パネルに表示する手順。
【００２９】
本発明の情報通知システム用プログラムは、上記（１）〜（４）の手順を画像形成装置のコンピュータに実行させることにより、メンテナンス情報を表示する対象となる特定のユーザのみにメンテナンス情報を開示することができる。
また、画像形成処理を行うために操作パネルを操作していたユーザが誤って通知情報に触れてしまっても、認証に成功しない限り、これに対応するメンテナンス情報が表示されることはない。したがって、管理者がメンテナンス情報を確認する前に、他のユーザによってこのメンテナンス情報が削除されてしまうといった不都合を確実に防止することができる。
【発明の効果】
【００３０】
本発明によれば、画像形成処理に関するユーザの操作性を妨げることなくメンテナンス情報の通知を操作パネルに表示しつつ、特定のユーザに対してメンテナンス情報を開示することができる。
【図面の簡単な説明】
【００３１】
【図１】本実施形態における情報通知システムの構成を概略的に示す図である。
【図２】管理デバイスの構成を概略的に示すブロック図である。
【図３】管理サーバの構成を概略的に示すブロック図である。
【図４】通知情報が表示された状態の操作パネルを示す平面図である。
【図５】メンテナンス情報が表示された状態の操作パネルを示す平面図である。
【図６】管理サーバ及び管理デバイスで実行される手順とともに、これらの間で送受信されるデータの流れを示す図である。
【図７】操作パネルにメッセージが表示されるまでの手順を示すフローチャートである。
【発明を実施するための形態】
【００３２】
以下、本発明の実施形態について図面を参照しながら説明する。
図１は、本実施形態における情報通知システム１０の構成を概略的に示す図である。
情報通知システム１０は、管理サーバを用いてネットワークに接続された画像形成装置にメンテナンス情報を通知することで、サービス提供者からのメンテナンス情報を画像形成装置を利用するユーザや、これを管理するユーザ側の管理者に提供するためのものである。
【００３３】
〔情報通知システムの構成〕
情報通知システム１０は、ネットワーク１２、管理デバイス（画像形成装置）１４、及び管理サーバ１６により構成されている。
ネットワーク１２は、ＷＡＮ（ワイドエリアネットワーク）やＬＡＮ（ローカルエリアネットワーク）等で構成されている。図１に示すネットワーク１２は、例えば大きく２つに分けられる。一つは、管理デバイス１４を利用するユーザ側のネットワーク１２ａである。もう一つは、管理サーバ１６を通じて管理デバイス１４に関する様々なサービスをユーザに提供するサービス提供者側のネットワーク１２ｂである。これらのネットワーク１２ａ，１２ｂは相互に接続されている。
【００３４】
図１中の管理デバイス１４は、ユーザ側のネットワーク１２ａに接続されている。ユーザ側のネットワーク１２ａには、管理デバイス１４の他にも、これを管理する管理者用端末や、管理デバイス１４を利用するユーザ用の端末、管理デバイス１４を利用するユーザを認証するための認証端末等が接続されていてもよい。なお図１では、これら管理者用端末、ユーザ用端末及び認証端末の図示を省略している。
【００３５】
また管理サーバ１６は、サービス提供者側のネットワーク１２ｂに接続されている。サービス提供者側のネットワーク１２ｂには、管理サーバ１６の他にも、システム管理者用端末１８や、メンテナンス担当者用端末２０等が接続されている。
【００３６】
〔システム管理者用端末〕
システム管理者用端末１８は、本実施形態の情報通知システム１０を全体的に管理するシステム管理者が使用する端末である。システム管理者用端末１８には、一般に普及しているデスクトップ型ＰＣやノートブック型ＰＣを適用することができる。
【００３７】
システム管理者は、システム管理者用端末１８を操作して管理デバイス１４のメンテナンスに関するメンテナンス情報を作成する。
このメンテナンス情報は、管理デバイス１４に関してサービス提供者が管理する情報をユーザに提供するためのものである。メンテナンス情報には、例えば、管理デバイス１４を利用する一般ユーザ宛ての情報や、この管理デバイス１４を管理するユーザ側の管理者宛ての情報がある。
【００３８】
一般ユーザ宛てのメンテナンス情報としては、例えば、管理デバイス１４の操作方法など、ユーザからサービス提供者に対して問い合わせの多い項目をＦＡＱ形式で示したものが挙げられる。
また、管理者宛てのメンテナンス情報としては、管理デバイス１４の定期メンテナンスに関する情報や、管理デバイス１４に設置されたトナー残量に関する情報、管理デバイス１４内の故障情報、あるいはシステムエラーの発生情報等が挙げられる。
システム管理者により作成されたメンテナンス情報は、システム管理者用端末１８を介して管理サーバ１６に保存される。
【００３９】
〔メンテナンス担当者用端末〕
メンテナンス担当者用端末２０は、管理デバイス１４のメンテナンス作業を行うメンテナンス担当者が使用する端末である。メンテナンス担当者用端末２０には、携帯電話やノートブック型ＰＣ等のモバイル端末、及び、デスクトップ型ＰＣを適用することができる。
メンテナンス担当者用端末２０には、管理サーバ１６からネットワーク１２ｂを介してメンテナンス情報が通知される。
【００４０】
〔管理デバイスの構成〕
図２には、管理デバイス１４の構成を概略的に示すブロック図である。
管理デバイス１４は、いわゆる多機能周辺機器（Ｍｕｌｔｉｐｌｅ  Ｆｕｎｃｔｉｏｎ  Ｐｅｒｉｐｈｅｒａｌ）に代表されるデジタル複合機である。管理デバイス１４は、ネットワークインターフェース２２を介してネットワーク１２ａに接続されている。
【００４１】
〔管理デバイスの諸機能〕
管理デバイス１４は、例えば、印刷機能、送信機能及びボックス機能（保存機能）を有している。より具体的には、記憶部２４は、スキャナ部２６で読み込まれたデータや、ネットワーク１２ａに接続されたユーザ用端末から送信されたデータ、ＦＡＸ通信部２８にて受信したデータ等の種々のデータを逐次保存するボックス機能を有している。
【００４２】
また本実施形態においてメンテナンス情報を操作パネル３２に表示するための構成として、記憶部２４には、管理サーバ１６から通知されたメンテナンス情報を格納する領域２４ａや、ユーザの認証に必要な認証情報を格納する領域２４ｂが設けられている。また、記憶部２４には、印刷に伴う設定データや各種のプログラム（画像形成プログラム等）や、本実施形態におけるメンテナンス情報を操作パネル３２に表示するためのプログラムを格納する領域２４ｂが設けられている。
【００４３】
ＦＡＸ通信部２８は、ネットワークインターフェース２２を介して外部の装置とファクシミリデータを通信する装置である。ＦＡＸ通信部２８は、記憶部２４に保存されたデータを相手先に向けて送信する送信機能を有している。また、ＦＡＸ通信部２８は、外部から送信されたデータを受信する機能を有している。
【００４４】
プリントエンジン３０は、スキャナ部２６で読み込まれて記憶部２４に保存されたデータを印刷する装置である。プリントエンジン３０は、スキャナ部２６の画像読取位置に原稿を搬送する自動原稿搬送装置（ＡＤＦ）、用紙を供給する用紙供給部、画像を用紙に転写する画像形成部、転写済みの用紙にソート、孔開けやステープル処理等を行う後処理装置等に接続されている。
【００４５】
〔操作パネル〕
また、管理デバイス１４は、操作パネル３２を備えている。操作パネル３２は、タッチパネル式の入力兼表示装置である。操作パネル３２には、タッチ操作用のボタンの他、文字情報や案内画像等が表示される。また本実施形態では、管理サーバ１６から通知されたメンテナンス情報が表示される。これらタッチ操作用のボタンやメンテナンス情報等は、ユーザの操作を受け付け可能に構成されている。操作パネル３２によるユーザの操作内容は、制御部３４に通知される。
【００４６】
管理デバイス１４の各種動作は、制御部３４により制御される。制御部３４は、コンピュータとして機能する要素であり、ＣＰＵ等のハードウエア資源を有している。そして、制御部３４は、このハードウエア資源を用いてプログラム（画像形成プログラム等）を実行して、上述のスキャナ部２６や、ＦＡＸ通信部２８、プリントエンジン３０、操作パネル３２を制御する。
【００４７】
また本実施形態において、制御部３４は、記憶部２４に格納されたメンテナンス情報及び認証情報に基づいて、以下の処理を実行する。
（１）記憶部２４に格納されたプログラムを呼び出して、メンテナンス情報が通知されたことを示す通知情報を操作パネル３２に表示する処理（表示手段）。
（２）メンテナンス情報を開示する対象となるユーザを認証する処理（認証手段）。
（３）通知情報に対応するメンテナンス情報の内容を操作パネルに表示する処理（内容表示手段）。
【００４８】
〔管理サーバの構成〕
図３は、管理サーバ１６の構成を概略的に示すブロック図である。
管理サーバ１６は、ネットワーク１２ｂに接続された状態でサーバ型のコンピュータとして機能する。管理サーバ１６は、図示しないＣＰＵやメモリデバイス等のハードウエア資源を備えている。
【００４９】
管理サーバ１６は、ネットワークインターフェース３６、記憶部３８及び制御部４０を有している。管理サーバ１６では、記憶部３８及び制御部４０がコンピュータとしてプログラムを実行する。
【００５０】
〔ネットワークインターフェース〕
ネットワークインターフェース３６は、ネットワーク１２ｂに接続するためのネットワークアダプタである。ネットワークインターフェース３６では、管理デバイス１４、システム管理者用端末１８、及びメンテナンス担当者用端末２０に対して相互にデータの送受信を行う。
【００５１】
〔記憶部〕
記憶部３８は、ＲＯＭやＲＡＭ等の記憶媒体により構成されている。記憶部３８には、システム管理者用端末１８から受信したメンテナンス情報を記憶（格納）する領域３８ａや、サービス提供の対象となる管理デバイス情報を格納する領域３８ｂ、管理デバイス１４にメンテナンス情報を通知するためのプログラムを格納する領域３８ｃ等が設けられている。
【００５２】
〔制御部〕
制御部４０は、例えばプロセッサ（ＣＰＵ）により構成されており、記憶部３８に格納されたプログラムを呼び出して、管理デバイス１４にメンテナンス情報を通知するための処理を実行したり、ネットワークインターフェース３６による通信を制御したりする。
【００５３】
制御部４０は、記憶部３８に格納された上記のプログラムを実行するための構成として、ステータス確認処理部４２ａ及びメッセージ通知処理部４２ｂを有している。
ステータス確認処理部４２ａは、メンテナンス情報４０ａの通知対象となる管理デバイス１４の状態を確認するための処理を実行する。また、メッセージ通知処理部４２ｂは、管理デバイス１４にメンテナンス情報４０ａを通知するための処理を実行する（通知手段）。
【００５４】
図４は、通知情報が表示された状態の操作パネル３２を示す平面図である。また、図５は、メンテナンス情報が表示された状態の操作パネル３２を示す平面図である。
【００５５】
図４中（Ａ）は、操作パネル３２に通知情報が表示された状態を示している。また図４中（Ｂ）は、メンテナンス情報を開示する対象となるユーザを認証するためのユーザ認証画面が操作パネルに表示されている。
【００５６】
〔操作パネルの構成〕
図４中（Ａ）：操作パネル３２の表示領域３２ａには、画像形成処理を行うため操作領域として、液晶操作画面３２ｂが表示されている。なお、図４では図示を省略しているが、液晶操作画面３２ｂには、コピーやファクシミリ等の画像形成処理に関してユーザにより操作されるタッチ操作用のボタン及びアイコン等が表示される。ユーザは、コピーやファクシミリを利用する際、タッチ操作用のボタンやアイコンに触れることで、管理デバイス１４を操作することができる。
【００５７】
〔表示手段〕
本実施形態において、操作パネル３２には、通知情報４２が表示されている。この通知情報４２は、管理サーバ１６からメンテナンス情報が通知されたことを示すものであり、図４中（Ａ）では、感嘆符を角丸四角形で囲った形状のアイコンで示されている。
管理デバイス１４の制御部３４は、表示領域３２ａ内で液晶操作画面３２ｂの外側に配置された非操作領域３２ｃに上記の通知情報４２を表示する。制御部３４は、例えば管理サーバ１６からメンテナンス情報を受信したタイミングで通知情報４２を操作パネル３２に表示する。
【００５８】
このように、液晶操作画面３２ｂの外側の非操作領域３２ｃに通知情報４２を配置することで、上記のコピーやファクシミリ等を利用するユーザの操作を妨げになることなく、通知情報４２を表示することができる。
【００５９】
〔認証手段〕
図４中（Ｂ）：また管理デバイス１４の制御部３４は、メンテナンス情報を開示する対象となるユーザを認証する。その際、制御部３４は、操作パネル３２に表示された通知情報４２に対する操作に応じて、メンテナンス情報を開示する対象となるユーザを認証するためのユーザ認証画面４２ａを操作パネル３２に表示する。
【００６０】
ユーザは、ユーザ認証画面４２ａに表示された「Ｕｓｅｒ  ＩＤ」及び「Ｐａｓｓｗｏｒｄ」をタッチして、それぞれに対応する情報を入力する。例えば、管理デバイス１４の管理者は、管理者として割り当てられた「Ｕｓｅｒ  ＩＤ」と「Ｐａｓｓｗｏｒｄ」を入力する。また、管理者以外のユーザは、一般ユーザとして割り当てられた「Ｕｓｅｒ  ＩＤ」と「Ｐａｓｓｗｏｒｄ」を入力する。制御部４３は、入力された情報に基づいてユーザの認証を行う。
【００６１】
〔内容表示手段〕
また、図５に示すように、管理デバイス１４の制御部３４は、ユーザの認証に成功すると、メッセージ画面４２ｂを操作パネル３２に表示する。メッセージ画面４２ｂには、通知情報４２に対応するメンテナンス情報の内容が表示される。
【００６２】
メッセージ画面４２ｂに表示されるメンテナンス情報の内容は、管理者あるいは一般ユーザといったユーザの権限によって異なる。制御部３４は、ユーザの認証が成功した際、ユーザの権限に応じて開示の対象となるメンテナンス情報を操作パネル３２に表示する。例えば、管理者としてユーザの認証が成功した場合、制御部３４は、管理者宛てのメンテナンス情報をメッセージ画面４２ｂに表示する。この場合、メッセージ画面４２ｂには、管理者宛てのメンテナンス情報として、図５に示されるようにメンテナンス担当者が管理デバイス１４の設置場所に訪問する日時を示したメッセージが表示される。
【００６３】
〔受信手段〕
また、メッセージ画面４２ｂに表示されたメンテナンス情報に対して応答メッセージを管理サーバ１６に送信することができる。上記の例において、管理者は、操作パネル３２を操作して、都合の良い日時を入力する。入力が完了すると制御部３４は、このメッセージをネットワークインターフェース２２からネットワーク１２ａに送信する。管理サーバ１６は、管理デバイス１４から送信されたメッセージを、ネットワーク１２ａ，１２ｂを介して受信する。
【００６４】
以上が情報通知システム１０の基本的な構成である。加えて本実施形態では、管理デバイス１４及び管理サーバ１６にインストールされたプログラムをコンピュータで実行することで、上述した情報通知システム１０を動作させることができる。また以下の説明により、情報通知方法、及び、情報通知システム用プログラムが管理デバイス１４のコンピュータに実行させる手順例が明らかとなる。
【００６５】
図６は、管理サーバ１６及び管理デバイス１４で実行される手順とともに、これらの間で送受信されるデータの流れを示す図である。
図６中の実線で示す矢印は、管理サーバ１６及び管理デバイス１４でそれぞれ実行される処理の流れを表している。また図６中の破線で示す矢印は管理サーバ１６及び管理デバイス１４の間で送受信されるデータの流れを表している。
【００６６】
本実施形態において、管理サーバ１６は、通知先となる管理デバイス１４のステータスを確認してから記憶部３８に格納されたメンテナンス情報を管理デバイス１４に対して通知することが好ましい。以下、手順に沿って説明する。
【００６７】
ステップＳ１００：管理サーバ１６は、管理デバイス１４のステータスを確認する。管理サーバ１６は、例えば管理デバイス１４のステータスを確認するために、これを確認するための確認信号を生成し、生成した確認信号を管理デバイス１４に向けて送信する。
【００６８】
ステップＳ１０２：管理デバイス１４は、上記の確認信号を受信すると、管理デバイス１４内の状況（ステータス）を確認する。具体的には、管理デバイス１４は、メンテナンス情報を受信することが可能な状態か否かを確認する。
【００６９】
ステップＳ１０４：管理デバイス１４は、確認したステータス情報を管理サーバ１６に向けて送信する。これに対して、管理サーバ１６は受信したステータス情報に基づいて管理デバイス１４にメンテナンス情報（メッセージ）の送信が可能か否かを判断する（ステップＳ１０６）。以下では、「メンテナンス情報」を「メッセージ」と称呼する。
【００７０】
ステップＳ１０８：管理デバイス１４に対してメッセージの送信が可能でないと判断した場合（ステップＳ１０６「Ｎｏ」）、管理サーバ１６は、ステータス確認のリトライ処理を実行する。この処理では、一定の時間が経過するまで待機し、待機時間が経過した後に、再びステップＳ１００に戻り、管理デバイス１４のステータスを確認する。
【００７１】
ステップＳ１１０：管理デバイス１４に対してメッセージの送信が可能であると判断した場合（ステップＳ１０６「Ｙｅｓ」）、管理サーバ１６は、記憶部３８に格納（記憶）されたメッセージを管理デバイス１４に送信する。
【００７２】
ステップＳ１１２：管理デバイス１４は、管理サーバ１６から上記のメッセージを受信する。メッセージを受信すると、管理デバイス１４は、受信結果を管理サーバ１６に通知する（ステップＳ１１４）。
【００７３】
ステップＳ１１６：管理サーバ１６は、管理デバイス１４により通知された受信結果に基づいて管理デバイス１４によるメッセージの受信が成功したか否かを判断する。
管理サーバ１６は、管理デバイス１４によるメッセージの受信が成功したと判断した場合（ステップＳ１１６「Ｙｅｓ」）、この処理を終了する。
【００７４】
ステップＳ１１８：一方、上記メッセージの受信が失敗したと判断した場合（ステップＳ１１４「Ｎｏ」）、管理サーバ１６は、メッセージの送信に関してリトライ処理を実行する。具体的には、ステップＳ１１０に戻り、メッセージを再送信する。メッセージの再送信は、管理デバイス１４によりメッセージの受信が完了するまでの間、繰り返し行う。なお、メッセージの再送信が指定回数を超えた場合、管理サーバ１６は、メッセージの送信を停止するとともに、エラーメッセージをシステム管理用端末１８に通知してもよい。
【００７５】
ステップＳ１２０：管理デバイス１４は、メッセージの受信が成功するとこれをストレージ（記憶部２４）に保存する。
ステップＳ１２２：また、管理デバイス１４は、記憶部２４に保存されたメッセージに基づいて操作パネル３２に通知情報４２を表示する。
【００７６】
図７は、操作パネル３２にメッセージが表示されるまでの手順を示すフローチャートである。この手順は、管理デバイス１４の制御部３４が操作パネル３２に表示された通知情報４２に対するユーザや管理者の操作を受け付けることで開始される。
【００７７】
ステップＳ２００：操作パネル３２に表示されたアイコンがユーザあるいは管理者により選択される。
ステップＳ２０２：管理デバイス１４は、ユーザ認証モードが設定されているか否かを判定する。ここで、「ユーザ認証モード」とは、操作パネル３２を操作するユーザの認証を行う機能のことをいう。
【００７８】
例えば、ユーザ認証モードが「ＯＮ」に設定されていると、操作パネル３２には、図４中（Ｂ）に示されるユーザ認証画面４２ａが初期画面として表示される。操作パネル３２の操作を開始する場合、ユーザは、まずユーザ認証画面４２ａにユーザＩＤやパスワード等の情報を入力する。管理デバイス１４の制御部３４は、入力された情報に基づいて認証を行う。認証が成功すると、制御部３４は、液晶操作画面３２ｂを操作可能な状態で表示する。これにより、ユーザは、コピーやファクシミリ等の画像形成処理に関する操作を実行することができる。
【００７９】
本実施形態において、ユーザ認証モードが「ＯＮ」に設定されている場合、ステップＳ２００では、認証が成功したユーザあるいは管理者により操作パネル３２に表示されたアイコンが選択されることになる。すなわち、ユーザ認証モードが「ＯＮ」に設定されている場合（ステップＳ２０２「ＯＮ」）は、ユーザの再認証を行う必要が無いため、次のステップＳ２０６へ進む。
【００８０】
ステップＳ２０４：一方、上記のユーザ認証モードがＯＦＦに設定されている場合（ステップＳ２０２「ＯＦＦ」）、管理デバイス１４は、操作パネル３２にユーザ認証画面４２ａを表示する。表示されたユーザ認証画面４２ａに対して、ユーザは、上記のユーザＩＤやパスワードを入力する。管理デバイス１４は、入力された情報に基づいてユーザの認証を行う。
【００８１】
ステップＳ２０６：管理デバイス１４は、メッセージの権限を確認する。具体的には、管理サーバ１６から送信されたメッセージが管理者向けの情報なのか、それとも、管理者だけでなく一般ユーザも含めた情報なのかを確認する。
【００８２】
ステップＳ２０８：管理デバイス１４は、管理者向けのメッセージ及び、管理者だけでなく一般ユーザも含めたメッセージをユーザの権限（ユーザ又は管理者）に基づいて操作パネル３２に表示する。
【００８３】
このように、本実施形態の情報通知システム１０によれば、通知情報４２を示すアイコンは、液晶操作画面３２ｂの外側の非操作領域に表示されているため、コピーやファクシミリ等の画像形成処理に関する操作を行う際の操作性を確保しつつも、メンテナンス情報が管理サーバから通知されたことをユーザに知らせることができる。
【００８４】
また、ユーザ認証を行った上で、メンテナンス情報を操作パネル３２に表示しているため、メンテナンス情報を通知する対象者のみがこれを操作パネル３２上で確認することができる。
【符号の説明】
【００８５】
１０      情報通知システム
１２      ネットワーク
１４      管理デバイス（画像形成装置）
１６      管理サーバ
３２      操作パネル
３２ｂ    液晶操作画面（操作領域）
３２ｃ    非操作領域
４２      通知情報
４２ａ    ユーザ認証画面
４２ｂ    メッセージ表示画面
【図１】
2014036330.tif 000003
【図２】
2014036330.tif 000004
【図３】
2014036330.tif 000005
【図４】
2014036330.tif 000006
【図５】
2014036330.tif 000007
【図６】
2014036330.tif 000008
【図７】
2014036330.tif 000009